(57)【要約】      （修正有）【課題】簡単な構成でレンズユニットの光軸方向への移動の際の光学性能への影響を抑制できる光学装置を提供する。【解決手段】光学装置１は、光軸方向と平行方向に伸びる直進溝２が形成され、光軸を中心線とする筒形状の固定筒３を有している。固定筒３に対して、カム溝４が形成された光軸を中心線とする筒形状のカム環５が、その中心線を回動軸として回動する。ここで、カム環５は、固定筒３の外周面を外側から覆うように配置されている。その回動で、溝２およびカム溝４に係合するカムフォロワ６と固定し連動するレンズユニットが光軸方向に移動する。そして、レンズユニットには、そのカムフォロワ６と固定・連動し、直進溝２に挿入されカム溝４に挿入されない補助カムフォロワ８がさらに固定・連動される。【選択図】図１
2019049736.tif 000002
【特許請求の範囲】
【請求項１】
直進溝が形成された固定筒と、カム溝が形成されたカム環と、レンズを保持する複数のレンズユニットと、これらのレンズユニットに備えられ上記直進溝および上記カム溝に係合するカムフォロアとを有する光学装置において、
上記各レンズユニットには、上記直進溝に係合し、上記カム溝に係合しない補助カムフォロワが備えられ、
上記各レンズユニットの隣り合うもの同士の上記カムフォロワおよび上記補助カムフォロワは、互いに上記光学装置の光軸に沿う方向の配列の順番が逆である、
ことを特徴とする光学装置。
【請求項２】
請求項１に記載の光学装置において、
上記カム環は、上記光学装置の光軸の周りに回動可能であり、
上記固定筒は、上記光軸の周りへの回動に関し固定されている、
ことを特徴とする光学装置。
【請求項３】
請求項１または２に記載の光学装置において、
上記カムフォロワおよび上記補助カムフォロワは、円筒形である、
ことを特徴とする光学装置。
【発明の詳細な説明】
【技術分野】
【０００１】
本発明は、光学装置に関する。
【背景技術】
【０００２】
直進溝が形成された固定筒に対して、カム溝が形成されたカム環が回動することで、直進溝およびカム溝に係合するカムフォロワと連動するレンズユニットが光軸方向に移動し、ズーミングまたはフォーカシングを行う光学装置についての技術が提案されている（特許文献１参照）。
【０００３】
特許文献１では、カム溝の直進溝に対する角度がどのような角度であっても光学性能に影響を与えず、スムーズにズーミングまたはフォーカシングを行うことができる光学装置を提供することを目的としている。そして、その目的を達成するため、光学素子を保持し、光学素子の光軸方向に移動する第１の鏡筒と、第１の鏡筒の移動に伴って、第１の鏡筒が移動する方向と同じ方向に移動する第２の鏡筒と、第１、第２の鏡筒に接続する第１、第２のカムフォロアを光軸方向に変位させる第１、第２のカム溝を備えるカム環と、第１、第２のカムフォロアを光軸方向に案内する第１、第２の直進溝を備える固定筒と、第１のカムフォロア、第２のカムフォロアを夫々光軸方向と交差する方向に付勢する付勢部材と、を有する構成を採用している。 
【先行技術文献】
【特許文献】
【０００４】
【特許文献１】特開平２０１３−２５７３６９号公報
【発明の概要】
【発明が解決しようとする課題】
【０００５】
特許文献１の技術では、付勢部材を用いて構成部材を光軸方向と交差する方向に付勢している。このような付勢部材を用いた構成を採用すると、光学装置の構成を複雑にし、また付勢部材の耐久性等の問題を生ずる場合がある。
【０００６】
そこで本発明の目的は、簡単な構成でレンズユニットの光軸方向への移動の際の光学性能への影響を抑制できる光学装置を提供することである。
【課題を解決するための手段】
【０００７】
上記目的を達成するため、本発明の光学装置は、直進溝が形成された固定筒と、カム溝が形成されたカム環と、レンズを保持する複数のレンズユニットと、これらのレンズユニットに備えられ直進溝およびカム溝に係合するカムフォロアとを有する光学装置において、各レンズユニットには、直進溝に係合し、カム溝に係合しない補助カムフォロワが備えられ、各レンズユニットの隣り合うもの同士のカムフォロワおよび補助カムフォロワは、互いに光学装置の光軸に沿う方向の配列の順番が逆である、ことを特徴とする。
ここで、カム環は、光学装置の光軸の周りに回動可能であり、固定筒は、光軸の周りへの回動に関し固定されている、こととしても良い。
また、カムフォロワおよび補助カムフォロワは、円筒形である、こととしても良い。
【０００８】
上記目的を達成するため、本発明の光学装置は、その光軸と平行方向に伸びる直進溝が形成された固定筒またはカム環の一方に対して、カム溝が形成された固定筒またはカム環の一方とは異なる他方が回動することで、直進溝およびカム溝に係合するカムフォロワと連動するレンズユニットが移動し、レンズユニットは、そのカムフォロワおよび、直進溝に挿入されカム溝に挿入されない補助カムフォロワと固定される。
【発明の効果】
【０００９】
本発明では、簡単な構成でレンズユニットの光軸方向への移動の際の光学性能への影響を抑制できる光学装置を提供することができる。
【図面の簡単な説明】
【００１０】
【図１】本発明の実施の形態に係る光学装置を構成する直進溝およびカム溝に係合するカムフォロワの状態を示す図で、カム溝が形成されたカム環の外周面の平面図である。
【図２】図１のＡ−Ａ端面図である。
【発明を実施するための形態】
【００１１】
以下、本発明の実施の形態に係る光学装置について、図面を参照しながら説明する。図１は、本発明の実施の形態に係る光学装置を構成する直進溝およびカム溝に係合するカムフォロワの状態を示す図で、カム溝が形成されたカム環の外周面の平面図である。図２は、図１のＡ−Ａ端面図である。
【００１２】
光学装置１は、その光軸Ｌと平行方向に伸びる直進溝２が形成され、光軸Ｌを中心線とする筒形状の固定筒３を有している。固定筒３に対して、カム溝４が形成された光軸Ｌを中心線とする筒形状のカム環５が、その中心線を回動軸として回動する。ここで、カム環５は、固定筒３の外周面を外側から覆うように配置されている。その回動で、直進溝２およびカム溝４に係合するカムフォロワ６と固定し連動するレンズユニット７が、光軸Ｌ方向に移動する。そして、レンズユニット７は、そのカムフォロワ６と固定・連動し、直進溝２に挿入されカム溝４に挿入されない補助カムフォロワ８とさらに固定・連動される。
【００１３】
なお、図２に示すように、レンズユニット７は、保持部材９とレンズ１０を有する。保持部材９は、カムフォロワ６と、補助カムフォロワ８およびレンズ１０とを保持している。カムフォロワ６の移動に伴い、補助カムフォロワ８と、保持部材９およびレンズ１０（すなわちレンズユニット７）とが連動して同じ方向および同じ距離だけ移動する。
【００１４】
直進溝２とカム溝４は、図１に示すθ＝４５°の角度で交差している。固定筒３を固定しつつ図１に示すカム環５の手前側をＭ方向に回動させると、レンズユニット７はカム動作によりＭ’方向へと移動する。その際に、固定筒３がカムフォロワ６に最も強く当接する箇所は、図１に示す直進溝２がカムフォロワ６を押圧する点１１である。また、カム環５がカムフォロワ６を最も強く当接する箇所は、図１に示すカム溝４がカムフォロワ６を押圧する点１２である。
【００１５】
このように、カムフォロワ６が図１に示す左下側において点１１と点１２とが近接して（集中して）、２つの方向からの力を受けると、カムフォロワ６と固定し連動するレンズユニット７は、図１における矢印Ｓの方向に光軸Ｌが傾くように力を受け、たとえば光軸Ｌ’のように傾こうとする。すると、レンズユニット７の光軸Ｌ方向への移動の際の光学性能への影響の問題を生ずる。この傾向は、図１に示すθの角度が０°に近づくに従い、点１１と点１２がより近接するため、より大きくなる。
【００１６】
しかし、補助カムフォロワ８の存在によって、矢印Ｓの方向に光軸Ｌが傾こうとするようにレンズユニット７に力が与えられるのを押し留めることができる。ここで、カム溝４に挿入されない補助カムフォロワ８は、カムフォロワ６とは異なり、点１２の当接の影響を受けずに直進溝２に挿入されている。そして、補助カムフォロワ８はレンズユニット７と固定・連動している。すると、補助カムフォロワ８は、レンズユニット７が矢印Ｓの方向に傾こうとする力に抗して直進溝２に沿った直進性を維持しようとする。そのため、レンズユニット７の直進溝２に沿った姿勢が維持されやすくなる。
【００１７】
また補助カムフォロワ８の存在によって、固定筒３を固定しつつ図１に示すカム環５の手前側をＭ方向に回動させる際に固定筒３が押圧する箇所は、直進溝２がカムフォロワ６を押圧する点１１の他に、直進溝２が補助カムフォロワ８を押圧する点１３も加わる。そのため、固定筒３が押圧する箇所を増やし、１箇所あたりの押圧力を小さくする。さらに補助カムフォロワ８の存在によって、カムフォロワ６が受ける２つの方向からの力を集中させずに分散させることから、図１における矢印Ｓの方向に光軸Ｌが傾くようにレンズユニット７に与えられる力を発生しにくくする。
【００１８】
以上のように本発明の実施の形態に係る光学装置１は、付勢部材等を用いず、既存の部材の工夫により、簡単な構成でレンズユニット７の光軸Ｌ方向への移動の際の光学性能への影響を抑制することができる。
【００１９】
上述した本発明の実施の形態に係る光学装置１は、本発明の好適な形態の一例ではあるが、これに限定されるものではなく本発明の要旨を変更しない範囲において種々の変形実施が可能である。
【００２０】
たとえば、図１および図２に示すように、補助カムフォロワ８の数は１つとしているが、２つ以上とすることができる。また、図１および図２に示すように、補助カムフォロワ８とカムフォロワ６とは隣接して配置しているが、直進溝２に沿って離して配置することとしても良い。補助カムフォロワ８とカムフォロワ６とを離して配置した方が、カムフォロワ６が受ける２つの方向からの力をより分散でき、矢印Ｓの方向に光軸Ｌが傾くようにレンズユニット７に与えられる力を発生しにくくする効果が大きくなる。ただし、光学装置１を小型化する観点からは、補助カムフォロワ８とカムフォロワ６とは近づけた方が良い。
【００２１】
また、直進溝２とカム溝４は、θ＝４５°の角度で交差している。しかし、このθの値はどのような値であっても良い。本発明の実施の形態に係る光学装置１は、このθの値として光軸Ｌの傾きが懸念されていた、４５°以下の部分を有する場合に特に有効である。
【００２２】
また、カム環５は、固定筒３の外周面を外側から覆うように配置されている。しかしながら、固定筒３がカム環５の外周面を外側から覆うように配置するような構成としても良い。さらに、直進溝２は固定筒３ではなくカム環５に形成され、カム溝４はカム環５ではなく固定筒３に形成されていても良い。
【００２３】
また、本発明の実施の形態に係る光学装置１は、固定筒３を固定しつつカム環５を図１に示す手前側からＭ方向に回動させることで、レンズユニット７をカム動作によりＭ’方向へと移動させている。しかしながら、カム環５を固定しつつ固定筒３を図１に示す手前側からＭ方向とは逆側の方向に回動させることで、レンズユニット７をカム動作によりＭ’方向へと移動させても良い。
【符号の説明】
【００２４】
１  光学装置
２  直進溝
３  固定筒
４  カム溝
５  カム環
６  カムフォロワ
７  レンズユニット
８  補助カムフォロワ
Ｌ  光軸
【図１】
2019049736.tif 000003
【図２】
2019049736.tif 000004